(57)【要約】【課題】ねじ込む際に斜めになってしまうことが防がれねじ込みがより容易であるコンクリート用ねじを提供する。【解決手段】頭部３１と、頭部３１から延伸して先端が面取り部３２１となっている軸部３２とを具え、軸部３２には、螺旋状に延伸する１条の第１のねじ山３３と、２条の第２のねじ山３４と、１条の第３のねじ山３５とが設けられている。第１のねじ山３３は、複数のノッチ３３３と、第１のねじ山３３の追い側フランク３３１と軸部３２の周面とが接する箇所が凹弧面に形成された隅肉状部とを有し、且つ、進み側フランク角と追い側フランク角とが不等角となっている。各前記第２のねじ山３４は、互いに並走するように且つ第１のねじ山３３と間隔を置くように形成されている。第３のねじ山３５は、第１のねじ山３３の面取り部３２１に近い側から連続して延伸するように且つ断面外側形状が円弧状となるように形成されている。【選択図】  図３
2018119670.tif 000002
【特許請求の範囲】
【請求項１】
コンクリート基盤にねじ込むためのコンクリート用ねじであって、
頭部と、前記頭部から一体に延伸して１つの軸線を定めると共に、前記頭部から離れた先端が面取り部となっている軸部とを具え、
前記軸部には、それぞれ前記軸部の周面を螺旋状に延伸する１条の第１のねじ山と、２条の第２のねじ山と、１条の第３のねじ山とが設けられていて、
前記第１のねじ山は、互いに前記第１のねじ山の延伸方向における間隔を空けてそれぞれ前記第１のねじ山を切り込むように形成された複数のノッチと、前記第１のねじ山の追い側フランクと前記軸部の周面とが接する箇所が凹弧面に形成された隅肉状部とを有し、且つ、進み側フランク角と追い側フランク角とが不等角となるように構成されており、
各前記第２のねじ山は、互いに並走するように且つ前記第１のねじ山と間隔を置くように形成されており、
前記第３のねじ山は、前記第１のねじ山の前記面取り部に近い側の延伸端から連続して前記面取り部に向かって延伸するように且つ断面の外側形状が円弧状となるように形成されていることを特徴とする、コンクリート用ねじ。
【請求項２】
各前記第２のねじ山の外径が前記第１のねじ山の外径より小さいことを特徴とする、請求項１に記載のコンクリート用ねじ。
【請求項３】
各前記第２のねじ山の谷径が前記第１のねじ山の谷径より大きいことを特徴とする、請求項１または請求項２に記載のコンクリート用ねじ。
【請求項４】
前記軸部は、前記頭部に近い側にねじ山が設けられていない円筒部を有することを特徴とする、請求項１に記載のコンクリート用ねじ。
【請求項５】
前記第１のねじ山は、進み側フランク角が追い側フランク角より大となるように構成されていることを特徴とする、請求項１〜請求項４のいずれか一項に記載のコンクリート用ねじ。
【請求項６】
前記ノッチは、前記第１のねじ山の１周ごとに少なくとも１つ形成されていることを特徴とする、請求項１〜請求項５のいずれか一項に記載のコンクリート用ねじ。
【請求項７】
前記第３のねじ山は、前記軸部の周面を半周延伸するように設けられていることを特徴とする、請求項１〜請求項６のいずれか一項に記載のコンクリート用ねじ。
【請求項８】
前記第３のねじ山は、前記第１のねじ山から連続する側から前記面取り部に向かって外径が漸減するように形成されていることを特徴とする、請求項１〜請求項７のいずれか一項に記載のコンクリート用ねじ。
【発明の詳細な説明】
【技術分野】
【０００１】
本発明は、ねじに関し、詳しくはコンクリート基盤にねじ込むためのコンクリート用ねじに関する。
【背景技術】
【０００２】
図１には、特許文献１に示された従来のコンクリート用ねじ１が示されている。コンクリート用ねじ１は、コンクリートやモルタル等の硬質基盤（以下単にコンクリート基盤）にねじ込むことができるものであって、頭部１１と、頭部１１から一体に延伸する軸部１２と、軸部１２の先端である先端部１２１とを有し、また、軸部１２には先端部１２１を除いて、螺旋状に延伸する第１のねじ山１３と、第１のねじ山１３と平行に延伸し側面視で第１のねじ山１３と互い違いになる第２のねじ山１４とが形成され、且つ、第１のねじ山１３の外径が第２のねじ山１４の外径よりも高いいわゆる高低ねじに構成されている。
【０００３】
コンクリート用ねじ１をコンクリート基盤に先端部１２１からねじ込む際には、第１のねじ山１３と第２のねじ山１４とがそれぞれ鋭利になっていることによりコンクリート基盤を切り進むことができる。しかしその一方、ねじ山が鋭利であるとねじ込みが安定せず、ねじ１がまっすぐに入らず斜めになったままねじ込まれるとコンクリート基盤の組織を損壊してしまう上に、摩擦抵抗が増大してねじ込みにより大きなトルクが必要となるなど不都合があった。
【０００４】
また、ねじ込み作業を容易にするためのものとして、特許文献２には、図２に示すように、ねじ山の構造を改良したコンクリート用ねじ２が示されている。このコンクリート用ねじ２は、頭部２１と、頭部２１から一体に延伸する軸部２２と、軸部２２の先端である先端部２２１とを有し、軸部２２には先端部２２１を除いて、頭部２１側から順に、螺旋状に延伸する第１のねじ山２３と、第１のねじ山２３と平行に延伸する第２のねじ山２４と、第１のねじ山２３と第２のねじ山２４を隔てて平行に延伸する第３のねじ山２５とが形成されている。これら第１のねじ山２３、第２のねじ山２４、第３のねじ山２５は、外径において、第２のねじ山２４が第１のねじ山２３より小さく且つ第３のねじ山２５より大きくなるように、即ち第１のねじ山２３、第２のねじ山２４、第３のねじ山２５とで先端部２２１に向かって外径が先細りとなるテーパー状に設けられている。また、第１のねじ山２３は、同一のつるまき線上に、ねじ山が設けられているねじ山部２３１と、ねじ山が設けられていない平坦部２３２とが互い違いに表れるように形成されている。
【０００５】
コンクリート用ねじ２をコンクリート基盤に先端部２２１からねじ込む際には、上述のように先端部２２１側に向かって各ねじ山の外径がテーパー状になっていることにより、ねじ込みが容易であるといった効果が得られる。
【先行技術文献】
【特許文献】
【０００６】
【特許文献１】台湾実用新案登録第Ｍ３２０６０５号明細書
【特許文献２】台湾実用新案登録第Ｍ３８５６１３号明細書
【発明の概要】
【発明が解決しようとする課題】
【０００７】
しかしながら、上記従来のコンクリート用ねじ２でも、コンクリート用ねじ１の場合と同様に、各ねじ山が鋭利に形成されているので、ねじ込みの際にねじが斜めになってしまうことが起きやすい。またコンクリート基盤の切屑が平坦部２３２に溜まってしまうことも、ねじ込みの際の不都合となる。
【０００８】
そこで、本発明の目的は、コンクリート基盤にねじ込む際に斜めになってしまうことが防がれ、ねじ込み作業がより容易であるコンクリート用ねじを提供することにある。
【課題を解決するための手段】
【０００９】
上記目的を達成するための手段として、以下のコンクリート用ねじを提供する。
即ち、コンクリート基盤にねじ込むためのコンクリート用ねじであって、
頭部と、前記頭部から一体に延伸して１つの軸線を定めると共に、前記頭部からから離れた先端が面取り部となっている軸部とを具え、
前記軸部には、それぞれ前記軸部の周面を螺旋状に延伸する１条の第１のねじ山と、２条の第２のねじ山と、１条の第３のねじ山とがそれぞれ設けられていて、
前記第１のねじ山は、複数が互いに前記第１のねじ山の延伸方向における間隔を空けてそれぞれ前記第１のねじ山を切り込むように形成されたノッチと、前記第１のねじ山の追い側フランクと前記軸部の周面とが接する箇所が凹弧面に形成された隅肉状部とを有し、且つ、進み側フランク角と追い側フランク角とが不等角となるように構成されており、
各前記第２のねじ山は、互いに並走するように且つ前記第１のねじ山と間隔を置くように形成されており、
前記第３のねじ山は、前記第１のねじ山の前記面取り部に近い側の延伸端から連続して前記面取り部に向かって延伸するように且つ断面の外側形状が円弧状となるように形成されていることを特徴とするコンクリート用ねじを提供する。
【発明の効果】
【００１０】
上記手段によれば、ねじの先端である前記面取り部に近い前記第３のねじ山が断面の外側形状で円弧状となるように形成されている上に、前記第３のねじ山から連続する前記第１のねじ山に前記ノッチが形成されているので、コンクリート基盤にねじ込む際にその先端側のねじ山がなだらかで螺入の方向が安定すると共に、ねじ込みによって生じる基盤の切屑が前記ノッチに収容される。従って、ねじ込みの際に斜めになってしまうことが防がれ、ねじ込み作業がより容易となる。
【図面の簡単な説明】
【００１１】
【図１】従来のコンクリート用ねじの一例を示す側面図である。
【図２】従来のコンクリート用ねじの他の一例を示す側面図である。
【図３】本発明に係るコンクリート用ねじの第１の実施形態を示す斜視図である。
【図４】上記第１の実施形態を示す側面図である。
【図５】上記第１の実施形態における一部を示す部分側面図である。
【図６】上記第１の実施形態における一部を示す部分側面図である。
【図７】本発明に係るコンクリート用ねじの第２の実施形態を示す側面図である。
【発明を実施するための形態】
【００１２】
以下、本発明を実施するための形態を図面を参照しながら説明する。
【００１３】
（第１の実施形態）
図３（斜視図）及び図４（側面図）に、本発明に係るコンクリート用ねじ３の第１の実施形態を示す。コンクリート用ねじ３は、コンクリートやモルタル等の硬質基盤（以下単にコンクリート基盤）にねじ込むためのねじであって、頭部３１と、頭部３１から一体に延伸して１つの軸線Ｌを定めると共に、頭部３１から離れた先端がせっ頭円錐である面取り部３２１となっている軸部３２とを具え、軸部３２には、それぞれ軸部３２の周面を螺旋状に延伸する１条の第１のねじ山３３と、それぞれ第１のねじ山３３と間隔を置いて並走する２条の第２のねじ山３４と、第１のねじ山３３の面取り部３２１に近い側の延伸端から第１のねじ山３３と連続して面取り部３２１に向かって延伸する１条の第３のねじ山３５とが設けられている。すなわち、第１のねじ山３３と第３のねじ山３５は同一のつるまき線上にあり１条のねじ山を形成しているが、説明の都合上、面取り部３２１側のねじ山を第３のねじ山３５と称し、第１のねじ山３３とは区別して説明する。以下、各ねじ山３３、３４、３５の形状を詳しく説明する。
【００１４】
第１のねじ山３３は、図５及び図６に示されるように、進み側フランク３３２のフランク角αと、追い側フランク３３１のフランク角βとが不等角となるように構成され、本実施形態においては、進み側フランク角αが追い側フランク角βより大きい不等角ねじ山形状とされている。なお、進み側フランク角α及び追い側フランク角βは、第１のねじ山３３の頂点を通過すると共に軸線Ｌと直交する仮想面を基準面Ａとした場合の、進み側フランク３３２及び追い側フランク３３１のそれぞれの基準面Ａとの夾角である。
【００１５】
また、第１のねじ山３３は、図３、図４及び図６に示されるように、互いに第１のねじ山３３の延伸方向において間隔を空けてそれぞれ第１のねじ山３３に対して切り込みを入れるように形成された複数のノッチ３３３と、追い側フランク３３１と軸部３２の周面とが接する箇所（隅部）がなだらかに繋がるように凹弧面に形成された隅肉状部３０２（図６参照）とを有する。なお、ノッチ３３３は第１のねじ山３３の一周ごとに少なくとも１つ形成されることが好ましい。
【００１６】
各第２のねじ山３４は、本実施形態では第１のねじ山３３と互いに平行となるリード角を保ちつつ並走するように設けられている。また、図５に示されるように、第２のねじ山３４の外径Ｒ２は第１のねじ山３３の外径Ｒ１より小さく、且つ、第２のねじ山３４の谷径ｒ２は第１のねじ山３３の谷径ｒ１より大きい。
【００１７】
第３のねじ山３５は、軸線Ｌの延伸方向に沿った断面の外側形状が円弧状となるように形成され、且つ、本実施形態においては上述したように第１のねじ山３３と同一のつるまき線に沿って第１のねじ山３３から連続して軸部３２の周面を半周延伸するように設けられている。
【００１８】
また、第３のねじ山３５は、その外径が、第１のねじ山３３から連続する側から面取り部３２１に近づくに連れて徐々に縮小している。
【００１９】
以下、上述の各構造によって得られる効果を説明する。
まず、ねじの先端側にある第３のねじ山３５が断面の外側形状で円弧状となる共に面取り部３２１側から徐々に拡径するように形成されていることにより、本実施形態に係るコンクリート用ねじ３がコンクリート基盤にねじ込まれる時に、ねじ３の基盤に対するねじ込み方向が安定し、斜めになり難いので、斜めに打ち込まれて基盤の組織を損壊してしまうことや、摩擦抵抗が増大してしまうことが防がれる。
【００２０】
また、第１のねじ山３３に形成された複数のノッチ３３３により、ねじ込みの際に生じるコンクリート基盤の切屑が収容される上に、ノッチ３３３が第１のねじ山３３の一周ごとに少なくとも１つ形成されることで、第１のねじ山３３の基盤への切り込み作用が均等になるので、ねじ込み作業がより容易になる。また、第１のねじ山３３の追い側フランク３３１と軸部３２の周面との間が上述のように隅肉状部３０２として形成されていることで、コンクリート用ねじ３のコンクリート基盤へのねじ込みの際に第１のねじ山３３が進み側フランク３３２から受ける力により破損してしまうことが防がれる。
【００２１】
更に、第１のねじ山３３が不等角ねじ山形状を有するので、特に本実施形態のように進み側フランク角αが追い側フランク角βより大きくなるように、即ち進み側フランク角αを比較的緩やかにし、追い側フランク角βを比較的急にすれば、コンクリート用ねじ３がコンクリート基盤にねじ込み易くなる上に、ねじ込まれたコンクリート用ねじ３の保持力が高まり抜け難くなる。
【００２２】
また、ねじ山の高さが第１のねじ山３３より低い第２のねじ山３４が設けられていることで、第２のねじ山３４がねじの回転を補助的にガイドし、安定したねじ込みが可能となる。加えて、第２のねじ山３４の谷径ｒ２が第１のねじ山３３の谷径ｒ１より大きいことで、コンクリート用ねじ３の保持力がより向上する。
【００２３】
（第２の実施形態）
図７（側面図）に、本発明に係るコンクリート用ねじ３の第２の実施形態を示す。第２の実施形態におけるコンクリート用ねじ３の第１の実施形態との違いは、図示のように、軸部３２の頭部３１に近い側にねじ山が設けられていない円筒部３２２を有することにある。
【００２４】
即ち、本実施形態における軸部３２は、頭部３１側にある円筒部３２２と、先端側にある面取り部３２１と、円筒部３２２と面取り部３２１との間にあって第１〜第３のねじ山３３、３４、３５がそれぞれ設けられているねじ形成部３２３とを有する。
【００２５】
本実施形態により、第１の実施形態と同様の効果を発揮できる他に、コンクリート用ねじ３を頭部３１及び円筒部３２２が露出するようにコンクリート基盤にねじ込むことができ、頭部３１及び円筒部３２２を他の工程における作業に供することができる。
【００２６】
以上、本発明の好ましい実施例を説明したが、本発明はこれに限定されるものではなく、その要旨を逸脱しない範囲で種々の変更が可能である。
【産業上の利用可能性】
【００２７】
本発明は、コンクリート基盤に打ち込むことができしかも打ち込み作業が容易なねじとして、例えば建築の施工現場で有用である。
【符号の説明】
【００２８】
３      コンクリート用ねじ
３１    頭部
３２    軸部
３２１  面取り部
３２２  円筒部
３２３  ねじ形成部
３３    第１のねじ山
３３１  追い側フランク
３３２  進み側フランク
３３３  ノッチ
３４    第２のねじ山
３５    第３のねじ山
α      進み側フランク角
β      追い側フランク角
Ａ      基準面
Ｌ      軸線
Ｒ１    第１のねじ山の外径
Ｒ２    第２のねじ山の外径
ｒ１    第１のねじ山の谷径
ｒ２    第２のねじ山の谷径
【図１】
2018119670.tif 000003
【図２】
2018119670.tif 000004
【図３】
2018119670.tif 000005
【図４】
2018119670.tif 000006
【図５】
2018119670.tif 000007
【図６】
2018119670.tif 000008
【図７】
2018119670.tif 000009